(57)【要約】【課題】口腔体温計の衛生的な携帯を容易にする。【解決手段】外側面に表示スペースが設けられた表板と、外側面２ａに表示スペース５が設けられた裏板２と、表板と裏板２との間にフィルム状の口腔体温計６の少なくとも測定部６ａを収容する空間を形成する板状スペーサ３と、表板と裏板２のうち少なくともいずれか一方の収容空間７に対向する位置に設けられた吸水部材１０とを備え、裏板２には収容空間７に通じる窓孔８が設けられており、表板と裏板２との間に板状スペーサ３を挟み込んでこれらを一体化させて１枚のカード状ケースにし、口腔体温計６を窓孔８から収容空間７に差し込んで収容するようにしている。表板の表示スペースと裏板２の表示スペース５には、宣伝広告、口腔体温計の使用説明等が表示され、新しいタイプの宣伝広告媒体として使用することができる。【選択図】図１
0003136591.tif 000002
【実用新案登録請求の範囲】
【請求項１】
外側面に表示スペースが設けられた表板及び裏板と、フィルム状の口腔体温計の少なくとも測定部を収容する空間を前記表板と前記裏板との間に形成する板状スペーサと、前記表板と前記裏板のうち少なくともいずれか一方の前記収容空間に対向する位置に設けられた吸水部材とを備え、前記裏板には前記収容空間に通じる窓孔が設けられており、前記表板と前記裏板との間に前記板状スペーサを挟み込んでこれらを一体化させて１枚のカード状ケースにし、前記口腔体温計を前記窓孔から前記収容空間に差し込んで収容することを特徴とするフィルム状体温計用携帯ケース。
【請求項２】
前記表板と前記裏板と前記板状スペーサとは一枚の紙で形成され、折り曲げられて重ねられると共に、前記表板と前記裏板によって前記吸水部材が構成されていることを特徴とする請求項１記載のフィルム状体温計用携帯ケース。
【請求項３】
前記表板と前記裏板と前記板状スペーサとは別々の紙で形成されて重ねられると共に、前記表板と前記裏板によって前記吸水部材が構成されていることを特徴とする請求項１記載のフィルム状体温計用携帯ケース。
【請求項４】
前記表板と前記裏板は一枚の紙で形成され、前記板状スペーサは別の紙で形成され、前記表板と前記裏板とは折り曲げられて前記板状スペーサを挟み込むと共に、前記表板と前記裏板によって前記吸水部材が構成されていることを特徴とする請求項１記載のフィルム状体温計用携帯ケース。
【請求項５】
前記窓孔の前記口腔体温計を潜り込ませる側の縁には、前記口腔体温計を前記表板側に向けて押圧する舌片が設けられていることを特徴とする請求項１記載のフィルム状体温計用携帯ケース。
【考案の詳細な説明】
【技術分野】
【０００１】
本考案は、フィルム状体温計用携帯ケースに関する。さらに詳しくは、本考案は、フィルム状の口腔体温計を収容するカード状の携帯ケースに関するものである。
【背景技術】
【０００２】
手軽に且つ正確に体温を測定できる口腔体温計として、フィルム状の口腔体温計がある。この口腔体温計を収納するケースとして、例えば特開平７−２３９２７４号公報に開示された体温計収納用ケースがある。この体温計収納用ケースを図１３〜図１６に示す。ケース１０１は樹脂製のものであり、ケース基台１０２とケース蓋体１０３より構成されている。ケース基台１０２には、口腔体温計１０４の収納空間１０５を形成する溝が設けられており、ケース基台１０２に開口部１０６が形成されたケース蓋体１０３を重ね合わせることで、ケース１０１内に収納空間１０５を生じさせる。ケース１０１には３本の収納空間１０５が設けられており、一度に３枚のフィルム状の口腔体温計１０４を収納することができる。
【０００３】
口腔体温計１０４は、開口部１０６から収納空間１０５内に差し込まれて収納される。また、口腔体温計１０４を取り出す場合には、先ず最初に口腔体温計１０４の枕状部１０２ａに載置される部位よりも少し手前の部位をケース基台１０２側に向けて押す。これにより、口腔体温計１０４が湾曲して把持部１０４ａ側の先端部がケース１０１の表面から浮くように突出する。この状態で口腔体温計１０４をスライドさせることで、口腔体温計１０４を収納空間１０５から引き抜くことができる。
【０００４】
【特許文献１】特開平７−２３９２７４号
【考案の開示】
【考案が解決しようとする課題】
【０００５】
しかしながら、上述の口腔体温計１０４は口の中に入れて使用するものであり、使用によって濡れてしまう。口腔体温計１０４を濡れたままケース１０１に収納すると、口腔体温計１０４の濡れた部分がケース基台１０２やケース蓋体１０３に密着して乾き難く、不衛生である。
【０００６】
本考案は、フィルム状の口腔体温計の衛生的な携帯を容易にするフィルム状体温計用携帯ケースを提供することを目的とする。
【課題を解決するための手段】
【０００７】
かかる目的を達成するために請求項１記載のフィルム状体温計用携帯ケースは、外側面に表示スペースが設けられた表板及び裏板と、フィルム状の口腔体温計の少なくとも測定部を収容する空間を表板と裏板との間に形成する板状スペーサと、表板と裏板のうち少なくともいずれか一方の収容空間に対向する位置に設けられた吸水部材とを備え、裏板には収容空間に通じる窓孔が設けられており、表板と裏板との間に板状スペーサを挟み込んでこれらを一体化させて１枚のカード状ケースにし、口腔体温計を窓孔から収容空間に差し込んで収容するものである。
【０００８】
したがって、使い終わった口腔体温計を携帯ケースに収める場合には、口腔体温計をその測定部側から裏板の窓孔に差し込めば良い。口腔体温計は窓孔から摘み部を露出させた状態で携帯ケースに収められる。口腔体温計は口に入れて使用するものであり、使用によって測定部は濡れてしまう。濡れたままの状態で測定部を窓孔に差し込んだとしても、測定部に付着している水分は吸水部材に接触することで吸収される。
【０００９】
携帯ケースに収められている口腔体温計を使用する場合には、裏板の窓孔から露出している口腔体温計の摘み部を摘んで口腔体温計を窓孔から引き抜けば良い。
【００１０】
口腔体温計は携帯ケースに収められた状態で携帯される。表板の外側面と裏板の外側面には表示スペースが設けられており、この表示スペースに例えば宣伝広告や口腔体温計の使用説明を印刷等することができる。
【００１１】
また、請求項２記載のフィルム状体温計用携帯ケースは、表板と裏板と板状スペーサとは一枚の紙で形成され、折り曲げられて重ねられると共に、表板と裏板によって吸水部材が構成されているものである。したがって、表板と裏板と板状スペーサとなる一枚の紙について折り重ねられる部分に、のり，接着剤，両面テープ等の接着手段を付け、表板と裏板との間に板状スペーサを挟み込むように折り重ねると、携帯ケースが製造される。
【００１２】
また、請求項３記載のフィルム状体温計用携帯ケースは、表板と裏板と板状スペーサとは別々の紙で形成されて重ねられると共に、表板と裏板によって吸水部材が構成されているものである。したがって、別々の紙で形成された表板と裏板と板状スペーサについて、重ね合わされる部分に接着手段を付け、表板と裏板との間に板状スペーサを挟み込むようにして重ね合わせると、携帯ケースが製造される。
【００１３】
また、請求項４記載のフィルム状体温計用携帯ケースは、表板と裏板は一枚の紙で形成され、板状スペーサは別の紙で形成され、表板と裏板とは折り曲げられて板状スペーサを挟み込むと共に、表板と裏板によって吸水部材が構成されているものである。したがって、表板と裏板が形成された紙と板状スペーサが形成された紙について、重ね合わされる部分に接着手段を付け、表板と裏板との間に板状スペーサを挟み込むように折り重ねると、携帯ケースが製造される。
【００１４】
さらに、請求項５記載のフィルム状体温計用携帯ケースは、窓孔の口腔体温計を潜り込ませる側の縁には口腔体温計を表板側に向けて押圧する舌片が設けられている。したがって、口腔体温計は窓孔の舌片の下に潜り込むようにして収容空間に差し込まれる。このとき、舌片が口腔体温計を拭う。また、口腔体温計を収容空間に収容した状態では、口腔体温計は舌片によって押さえ付けられている。
【考案の効果】
【００１５】
請求項１記載のフィルム状体温計用携帯ケースでは、表板の外側面と裏板の外側面、即ち携帯ケースの表裏両面に表示スペースが設けられているので、例えば宣伝広告や口腔体温計の使用説明等を印刷等することができる。このため、携帯ケースを宣伝広告用の媒体や販促商品等として使用することができると共に、口腔体温計と一緒に使用説明の印刷物（以下、使用説明書きという）を携帯することができる。特に、フィルム状の口腔体温計は目新しいものであり、注目度が高いので、フィルム状体温計用携帯ケースは宣伝広告用媒体や販促商品等としての使用に適している。また、口腔体温計とその使用説明書きとを常に一緒に携帯することになるので、使用説明を読みたいときに読むことができて便利であると共に、使用説明書きの紛失を防止することができる。さらに、この携帯ケースはカード状のものであり、名刺、クレジットカード、運転免許証等とほぼ同じサイズにすることで、普段持ち歩く財布やカードホルダ等に入れることが可能になり、携帯にとても便利である。また、口の中に入れる口腔体温計を衛生的に携帯することができる。また、表板と裏板のうち少なくともいずれか一方の収容空間に対向する位置には吸水部材が設けられており、たとえ口腔体温計を濡れたまま携帯ケースに収めたとしても水分を吸収することができる。そのため、口腔体温計を乾燥させることができ、雑菌の繁殖を抑えることができると共に、次に口腔体温計を使うときに気持ち良く使うことができる。さらに、口腔体温計を他の物に触れないようにして携帯できるので、たいへん衛生的である。
【００１６】
この場合、請求項２記載のフィルム状体温計用携帯ケースのように、表板と裏板と板状スペーサとを一枚の紙で形成し、折り曲げて重ねるようにしても良く、請求項３記載のフィルム状体温計用携帯ケースのように、表板と裏板と板状スペーサとを別々の紙で形成し重ねるようにしても良く、請求項４記載のフィルム状体温計用携帯ケースのように、表板と裏板を一枚の紙で形成し、板状スペーサを別の紙で形成し、表板と裏板とを折り曲げて板状スペーサを挟み込むようにしても良い。
【００１７】
また、請求項５記載のフィルム状体温計用携帯ケースでは、口腔体温計を窓孔から収容空間に差し込む際、口腔体温計は舌片に対して摺動するので、口腔体温計を収容する前に口腔体温計の表面に付着した水分を舌片によって拭い取ったり掻き取ったりすることができる。また、口腔体温計を収容空間に収容した状態では、舌片が口腔体温計を表板側に向けて押さえ付けているので、口腔体温計が簡単に脱落してしまうのを防止することができる。
【考案を実施するための最良の形態】
【００１８】
以下、本考案の構成を図面に示す最良の形態に基づいて詳細に説明する。
【００１９】
図１〜図３に本考案のフィルム状体温計用携帯ケースの第１の実施形態を、図４にフィルム状の口腔体温計を示す。このフィルム状体温計用携帯ケース（以下、単に携帯ケースという）は、外側面１ａに表示スペース４が設けられた表板１と、外側面２ａに表示スペース５が設けられた裏板２と、表板１と裏板２との間にフィルム状の口腔体温計６の少なくとも測定部６ａを収容する空間（以下、収容空間という）７を形成する板状スペーサ３と、表板１と裏板２のうち少なくともいずれか一方の収容空間７に対向する位置に設けられた吸水部材１０を備えている。吸水部材１０は、例えば紙である。本実施形態では、表板１と裏板２を紙製にすることで、表板１と裏板２の収容空間７に対向する位置に吸水部材１０を設けている。即ち、表板１，裏板２自体によって吸水部材１０を形成している。裏板２には収容空間７に通じる窓孔８が設けられている。本発明の携帯ケースは、表板１と裏板２との間に板状スペーサ３を挟み込み、これらを一体化させて１枚のカード状ケースにしている。この携帯ケースは、口腔体温計６を窓孔８から収容空間７に差し込んで収容するものである。
【００２０】
なお、本発明では板状スペーサ３を挟む２枚の板を表板１と裏板２と称して携帯ケースに表裏を決めているが、これは説明のための便宜的なものであり、いずれの面を表にしても裏にしても良い。即ち、裏板２に窓孔８を設けても良いし、表板１に窓孔８を設けても良い。
【００２１】
本実施形態では、表板１と裏板２と板状スペーサ３とは一枚の紙で形成され、折り曲げられて重ねられることで携帯ケースが製造される。各板１，２，３はほぼ同じ大きさに形成されている。ただし、表板１と裏板２に比べて板状スペーサ３を若干小さく形成して表板１と裏板２の間の折り目部分周辺に板状スペーサ３が当たるのを防止しても良く、この場合には表板１と裏板２の間を折り易くすることができる。また、本実施形態では、各板１，２，３の四隅を丸めて携帯ケースをより取り扱いやすいものとしている。ただし、各板１，２，３の四隅を丸めなくても良い。なお、図３では各板１，２，３の四隅の丸みの記載を省略している（後述の図５〜図８も同様である）。
【００２２】
本実施形態では、図２に示すように、表板１の一側に裏板２が、他側に板状スペーサ３がそれぞれ形成されている。そして、板状スペーサ３が表板１に折り重ねられ、裏板２が板状スペーサ３に更に折り重ねられて１枚のカード状ケースとなっている。このとき、表板１の外側面１ａがカード状ケースの表側面となり、裏板２の外側面２ａがカード状ケースの裏側面となっている。各板１，２，３の重ね合わせ部分は、例えばのり、接着剤、両面テープ等の接着手段によって接着されている。なお、表板１と裏板２の収容空間７に対向する部分には接着手段は付けられていない。また、カード状ケースは、例えば名刺、運転免許証、クレジットカード等とほぼ同じ大きさになっている。カード状ケースの表裏両面の対角線の長さは、例えば口腔体温計６の長さよりも若干長くなっている。
【００２３】
表板１、裏板２、板状スペーサ３が形成される紙は、好ましくはコート紙である。コート紙は比較的安価であり、吸水性に優れ、綺麗に印刷することができる。ただし、コート紙に限るものではなく、例えば上質紙、中質紙、マット紙、アート紙、その他の種類の紙の使用も可能である。また、使用する紙には滅菌処理、例えば紫外線照射による滅菌処理が施されている。ただし、滅菌処理としてはこれに限るものではない。
【００２４】
板状スペーサ３には収容空間７となる長孔９が形成されている。本実施形態では、口腔体温計６を携帯ケースに対して一の対角線上に配置して収容するので、一の対角線上に収容空間７が直線的に形成されるように、長孔９は板状スペーサ３の一の対角線上に直線的に形成されている。長孔９の幅は、口腔体温計６の幅より若干広くなっている。また、長孔９の両端の縁９ａは半円形状に丸みが付けられている。そして、長孔９の長さを口腔体温計６の長さよりも若干短くすることで、口腔体温計６を収容空間７の奥まで進入させても摘み部６ｂが窓孔８から露出するようにしている。表板１と板状スペーサ３と裏板２を重ね合わせることで長孔９が表板１と裏板２とで挟まれた収容空間７となる。
【００２５】
裏板２の窓孔８は、裏板２を板状スペーサ３に重ね合わせた場合に長孔９の片方の端部分に対向する位置に設けられている。窓孔８の幅は長孔９の幅に一致している。また、窓孔８の口腔体温計６を潜り込ませる側の縁８ｂには舌片８ａが形成されている。舌片８ａは裏板２に一体成形されている。舌片８ａは例えば半円形状を成しており、口腔体温計６の先端を窓孔８に差し込むのを容易にすると共に、口腔体温計６に付着した水分を拭き取る機能を有し、さらに、口腔体温計６の差し込みを示唆する機能も有する。そして、口腔体温計６を窓孔８から収容空間７に差し込むと、舌片８ａは口腔体温計６によって表板１から離れる方向に若干持ち上げられる。そのため、舌片８ａは口腔体温計６を表板１側に向けて押さえ付けるばねとして機能する。また、窓孔８の舌片８ａが設けられている側の縁８ｂとは反対側の縁８ｃは、長孔９の縁９ａに重なるように半円形状となっている。なお、必ずしも窓孔８の縁８ｃを長孔９の縁９ａに重なるようにしなくても良い。ただし、窓孔８から長孔９の縁９ａが見えてしまうと美観を損ねるので、窓孔８から長孔９の縁９ａが見えないようにすることが好ましい。
【００２６】
本実施形態では、表板１の外側面１ａ全面が表示スペース４となっている。また、裏板２の外側面２ａの窓孔８以外の部分が表示スペース５となっている。表板１と裏板２は紙製であり、表示スペース４，５には印刷を容易に行うことができる。表板１の表示スペース４を例えば宣伝広告を印刷するスペースとして、裏板２の表示スペース５を例えば口腔体温計６の使用説明を印刷するスペースとしてそれぞれ利用することができる。表示スペース４，５への印刷は例えば板状スペーサ３と裏板２を折り曲げる前の１枚の平らな紙の状態のときに行なわれる。図２に示すように、表板１の一側に裏板２を、他側に板状スペーサ３をそれぞれ形成しているので、表板１の表示スペース４と裏板２の表示スペース５が１枚の平らな紙の同じ面になり、折り曲げる前の状態で一度に両方の印刷を行うことができる。
【００２７】
携帯ケースの製造は、以下の手順で行なわれる。まず最初に各板１，２，３を形成する１枚の紙の表示スペース４，５となる位置に印刷を行なった後、紙を所定の形状、即ち各板１，２，３が連なり、長孔９と窓孔８を有する形状（図２）にカットし、その後、接着手段を付けて折り曲げる。これにより、携帯ケースが製造される。なお、紙をカットした後、印刷を行い、その後、接着手段を付けて各板１，２，３を折り曲げるようにしても良い。
【００２８】
この携帯ケースに使い終わった口腔体温計６を収める場合には、口腔体温計６を測定部６ａ側から裏板２の窓孔８より収容空間７に差し込めば良い。窓孔８の舌片８ａの下に潜り込ませるようにして差し込まれた口腔体温計６は収容空間７内に進入する。収容空間７となる長孔９の長さは口腔体温計６の長さよりも若干短いので、測定部６ａを奥まで進めると、口腔体温計６は摘み部６ｂを窓孔８から露出させた状態で携帯ケースに収められる。また、携帯ケース（カード状ケース）の対角線の長さは口腔体温計６の長さよりも若干長くなっており、携帯ケースに収められた口腔体温計６は裏板２の周縁からはみ出ることはない。
【００２９】
携帯ケースに収められている口腔体温計６は、舌片８ａのばね力によって押さえ付けられ、窓孔８を下に向けた場合等においても携帯ケースから簡単に脱落するのを防止される。
【００３０】
口腔体温計６は測定部６ａを口に入れて使用するものであり、使用によって測定部６ａが濡れてしまう。濡れたままの状態で測定部６ａを窓孔８に差し込んだとしても、窓孔８の縁８ｂには舌片８ａが設けられているので、舌片８ａによって口腔体温計６が拭われる。即ち、口腔体温計６を舌片８ａの下に潜り込ませているので、舌片８ａが口腔体温計６の表面に接触し、付着している水分を拭い取ることができる。また、各板１，２，３は紙製であることから、舌片８ａよって拭い取れなかった水分は各板１，２，３に染み込み吸収される。また、各板１，２，３が紙製であることから、収容空間７内の通気性がある程度確保される。これらのため、収容空間７内に収容された測定部６ａを乾かすことができ、口腔体温計６の表面での雑菌の繁殖を抑えることができると共に、次に口腔体温計６を使うときに気持ち良く使うことができる。
【００３１】
口腔体温計６を携帯ケースに収めることで、例えば財布等に入れて携帯する際、口腔体温計６が他の物に触れないようにすることができる。また、各板１，２，３となる紙には滅菌処理が施されている。これらのため、大変衛生的である。
【００３２】
携帯ケースに収められている口腔体温計６を使用する場合には、裏板２の窓孔８から露出している摘み部６ｂを摘んで口腔体温計６を窓孔８から引き抜けば良い。測定部６ａと反対側の摘み部６ｂを摘んでいるので、口腔体温計６を持ち直すことなくそのまま一連の動作で口腔体温計６の測定部６ａを口に入れて使用することができる。
【００３３】
この携帯ケースには表裏両面に表示スペース４，５が設けられており、表側面の表示スペース４には宣伝広告が、裏側面の表示スペース５には口腔体温計の使用説明がそれぞれ印刷されている。このため、携帯ケースを宣伝広告用の媒体や販促商品等として使用することができると共に、口腔体温計６と一緒に使用説明書きを携帯することができる。特にフィルム状の口腔体温計６は目新しいものであり、注目度が高いので、この携帯ケースは宣伝広告用媒体、販促商品等としての使用に適している。また、口腔体温計６と使用説明書きとを常に一緒に携帯することになるので、使用説明を読みたいときに読むことができて便利であると共に、使用説明書きの紛失を防止することができる。
【００３４】
この携帯ケースはカード状のものであり、名刺、クレジットカード、運転免許証等とほぼ同じサイズにすることができる。そのため、カードホルダや財布等に入れることが可能になり、携帯にとても便利である。また、口の中に入れる口腔体温計６を衛生的に携帯することができる。
【００３５】
なお、上述の形態は本考案の好適な形態の一例ではあるがこれに限定されるものではなく本考案の要旨を逸脱しない範囲において種々変形実施可能である。
【００３６】
例えば、上述の説明では、１枚の紙に表板１と裏板２と板状スペーサ３を形成する際、表板１の一側に裏板２を、他側に板状スペーサ３をそれぞれ配置していたが、必ずしもこの配置に限るものではない。折り畳むことで表板１と裏板２との間に板状スペーサ３を挟み込むことが可能であればその他の配置でも良い。例えば図５に示すように、裏板２の一側に表板１を、他側に板状スペーサ３をそれぞれ配置しても良い。この場合には、表板１を折り曲げる方向と板状スペーサ３を折り曲げる方向は同じ方向であり、まず最初に裏板２に板状スペーサ３を折り重ねて接着し、さらに板状スペーサ３に表板１を折り重ねて接着する。この場合にも表板１の表示スペース４と裏板２の表示スペース５を１枚の平らな紙の同じ面にすることができ、一度に両方の印刷を行うことができる。
【００３７】
また、例えば図６に示すように、板状スペーサ３の一側に表板１を、他側に裏板２をそれぞれ形成しても良い。この場合には、表板１を折り曲げる方向と裏板２を折り曲げる方向とは異なる方向であり、表板１と裏板２とのいずれを先に折り曲げても良く、板状スペーサ３に表板１と裏板２とをそれぞれ折り重ねて接着する。この場合には、表板１の表示スペース４と裏板２の表示スペース５は１枚の平らな紙の別々の面になってしまうが、例えば表示スペース４，５にシールを貼り付けて表示を行なう場合等には特に不都合はない。
【００３８】
また、上述の説明では、表板１と裏板２と板状スペーサ３を一枚の紙で形成していたが、必ずしもこれに限るものではなく、例えば図７に示すように表板１と裏板２と板状スペーサ３を別々の３枚の紙で形成しても良い。この場合、窓孔８が予め形成された紙（後に裏板２になる紙）と、長孔９が予め形成された紙（後に板状スペーサ３になる紙）と、後に表板１になる紙とを重ね合わせて接着した後、３枚纏めてカットしてカード状ケースを製造しても良く、あるいは、３枚の紙をそれぞれ所定の形状にカットして表板１と裏板２と板状スペーサ３をそれぞれ形成した後、これらを重ね合わせて接着することでカード状ケースを製造しても良い。
【００３９】
また、表板１と裏板２を一枚の紙で形成し、板状スペーサ３を別の紙で形成しても良い。この場合の実施形態を図８に示す。表板１と裏板２とを折り曲げて間に板状スペーサ３を挟み込んで接着することで、カード状ケースが製造される。なお、この実施形態は、後述するように板状スペーサ３を紙以外の材料で形成する場合に適している。
【００４０】
また、上述の説明では板状スペーサ３を紙で形成していたが、紙以外の材料で板状スペーサ３を形成しても良い。即ち、表板１と裏板２の間に収容空間７を形成することができるものであれば、板状スペーサ３の材料は紙に限るものではない。例えば、プラスチック、アルミニウム等の金属等で板状スペーサ３を形成しても良い。
【００４１】
また、上述の説明では、表板１と裏板２を紙で形成していたが、紙以外の材料で表板１と裏板２を形成しても良い。例えば布、フェルト等の吸水性を有する材料で表板１と裏板２を形成しても良く、この場合にも表板１と裏板２自体で吸水部材１０を形成することができる。あるいは、例えばアルミニウム等の金属やプラスチック等の吸水性を有しない材料で表板１と裏板２を形成しても良い。表板１と裏板２をアルミニウム等の金属やプラスチック等の薄板にすることで、紙を使用した場合に比べて、高級感を出すことができる。なお、表板１と裏板２を吸水性を有しない材料で形成した場合には、後述するように表板１と裏板２とは別に吸水部材１０を設けるようにする。また、裏板２を吸水性を有しない材料で形成した場合には、舌片８ａも吸水性を有しないものになる。吸水性を有しない舌片８ａは、吸水性を有する舌片８ａのように口腔体温計６の差し込み時に水分を吸収することはできないが、水分を掻き取るスクレーパとして機能させることはできる。さらに、表板１と裏板２を布やフェルト等の軟らかい材料で形成した場合には、板状スペーサ３を芯にすることで携帯ケースとしての剛性を確保する。
【００４２】
また、上述の説明では、表板１，裏板２自体を吸水部材１０にしていたが、表板１と裏板２とは別に吸水部材１０を設けても良い。例えばフェルト、布等の吸水性を有する材料によって吸水部材１０を形成しても良い。この場合、図９（Ａ）に示すように吸水部材１０を表板１と裏板２の両方の収容空間７に対向する位置にそれぞれ貼り付けるようにしても良く、あるいは図９（Ｂ）に示すように表板１と裏板２のいずれか一方（図９（Ｂ）では表板１）の収容空間７に対向する位置に貼り付けるようにしても良い。なお、吸水部材１０を貼り付ける位置としては、収容空間７に対向する位置のみでも良く、収容空間７に対向する位置を含みこれより広い範囲でも良い。
【００４３】
また、上述の説明では、表板１と裏板２の両方に吸水部材１０を設けていたが、表板１と裏板２のいずれか一方にのみ吸水部材１０を設けても良い。即ち、表板１と裏板２のいずれか一方を吸水性を有する材料で形成し、いずれか他方を例えばアルミニウム等の金属やプラスチック等の吸水性を有しない材料で形成しても良い。あるいは、表板１と裏板２の両方を吸水性を有しない材料で形成し且つ表板１と裏板２のいずれか一方にのみ吸水部材１０を貼り付けるようにしても良い。これらの場合であっても、吸水部材１０によって口腔体温計６の水分を吸収して口腔体温計６を乾燥させることができる。なお、表板１と裏板２のいずれか一方にのみ吸水部材１０を設ける場合には、表板１に吸水部材１０を設けることが好ましい。即ち、窓孔８は裏板２に設けられていることから、窓孔８から差し込まれた口腔体温計６は裏板２よりも表板１に接触し易い。このため、裏板２よりも口腔体温計６に接触し易い表板１に吸水部材１０を設けることで、より効率良く口腔体温計６に付着した水分を吸収することができる。
【００４４】
また、上述の説明では、表板１の外側面１ａ全面を表示スペース４としたが、必ずしも外側面１ａ全面を表示スペース４にする必要はなく、外側面１ａの一部を表示スペース４にしても良い。同様に、上述の説明では、裏板２の外側面２ａの窓孔８以外の部分を表示スペース５としたが、必ずしも裏板２の外側面２ａの窓孔８以外の部分を表示スペース５とする必要はなく、これより狭い範囲を表示スペース５としても良い。
【００４５】
また、上述の説明では、表示スペース４，５に印刷を行なっていたが、宣伝広告や口腔体温計６の使用説明を表示する手段としては印刷に限るものではない。例えば、宣伝広告や口腔体温計６の使用説明が印刷されたシール等を表示スペース４，５に貼付するようにしても良く、あるいは、手書き等しても良い。また、表板１や裏板２が金属製のものである場合等には、例えばレーザ印字等であっても良い。
【００４６】
また、上述の説明では、表板１の表示スペース４に宣伝広告を表示し、裏板２の表示スペース５に口腔体温計の使用説明を表示するようにしていたが、表示するものはこれらに限るものではなく、その他の表示を行なっても良い。
【００４７】
さらに、上述の説明では、窓孔８を裏板２の長孔９の端部分に対応する位置に形成し、口腔体温計６の収容時に摘み部６ｂを窓孔８から露出させ、摘み部６ｂ以外の部分を収容空間７内に差し込むようにしていたが、必ずしもこの構成に限るものではない。即ち、少なくとも口に入れる測定部６ａを収容空間７内に差し込めば良く、収容空間７内に差し込む長さに合わせて長孔９の大きさと窓孔８の位置を変更しても良い。なお、収容空間７内に差し込む長さを短くするとその分だけ口腔体温計６が携帯ケースから脱落しやすくなる可能性があるので、口腔体温計６が脱落しない程度に収容空間７内に差し込む長さを確保することが必要である。
【００４８】
また、窓孔８の形状は上述のものに限るもではなく、種々変形可能である。例えば、図１０に示すように円形状にしても良く、あるいは図１１に示すような形状にしても良く、その他の形状でも良い。これらの場合、長孔９の端部形状は窓孔８の形状に合わせることが好ましい。
【００４９】
また、上述の説明では、窓孔８の舌片８ａの形状を半円形状にしていたが、舌片８ａの形状はこれに限るものではなく、例えば三角形状、半楕円形状、矩形状等でも良く、その他の形状でも良い。
【００５０】
また、上述の説明では、窓孔８に舌片８ａを形成していたが、舌片８ａを形成しなくても良い。また、舌片８ａを裏板２とは別に形成し、裏板２に取り付けるようにしても良い。
【００５１】
また、上述の説明では、口腔体温計６を携帯ケースに対して対角線上に配置して収容していたが、これに限るものではなく、例えば図１２（Ａ）に示すように携帯ケースの長辺に平行に配置して収容しても良く、（Ｂ）に示すように携帯ケースの短辺に平行に配置して収容しても良く、その他の配置で収容しても良い。これらの場合、図１２（Ａ)，(Ｂ）に示すように、口腔体温計６を片側に寄せて配置しても良く、中央に配置しても良い。
【００５２】
また、上述の説明では、携帯ケースは表裏面の形状が長方形のカード状のケースであったが、これに限るものではなく、表裏面の形状が正方形のカード状ケース、円形状のカード状ケース、楕円形状のカード状ケース、三角形のカード状ケース、多角形のカード状ケース等でも良い。また、表裏面の形状を細長い長方形にして細長いカード状ケースにしても良い。
【図面の簡単な説明】
【００５３】
【図１】本考案のフィルム状体温計用携帯ケースの第１の実施形態を示し、口腔体温計を収めた状態を裏側からみた図である。
【図２】同フィルム状体温計用携帯ケースを示し、表板と裏板と板状スペーサを１枚の紙で形成した状態を示す図である。
【図３】同フィルム状体温計用携帯ケースを示し、１枚の紙で形成した表板と裏板と板状スペーサを折り重ねる様子を示す斜視図である。
【図４】口腔体温計を示し、（Ａ）はその平面図、（Ｂ）はその側面図である。
【図５】本考案のフィルム状体温計用携帯ケースの第２の実施形態を示し、１枚の紙で形成した表板と裏板と板状スペーサを折り重ねる様子を示す斜視図である。
【図６】本考案のフィルム状体温計用携帯ケースの第３の実施形態を示し、１枚の紙で形成した表板と裏板と板状スペーサを折り重ねる様子を示す斜視図である。
【図７】本考案のフィルム状体温計用携帯ケースの第４の実施形態を示し、別々の紙で形成した表板と裏板と板状スペーサを重ねる様子を示す斜視図である。
【図８】本考案のフィルム状体温計用携帯ケースの第５の実施形態を示し、１枚の紙で形成した表板と裏板の間に別の紙で形成した板状スペーサを挟み込む様子を示す斜視図である。
【図９】吸水部材の変形例を示し、（Ａ）は表板および裏板とは別に設けた吸水部材を表板と裏板の両方に貼り付けた例を示す断面図、（Ｂ）は表板および裏板とは別に設けた吸水部材を表板に貼り付けた例を示す断面図である。
【図１０】窓孔の変形例を示し、携帯ケースを裏側からみた図である。
【図１１】窓孔の他の変形例を示し、携帯ケースを裏側からみた図である。
【図１２】口腔体温計の収容の仕方の変形例を示し、（Ａ）は口腔体温計を携帯ケースの長辺に平行に配置して収容する場合の携帯ケースの裏側からみた図、（Ｂ）は口腔体温計を携帯ケースの短辺に平行に配置して収容する場合の携帯ケースの裏側からみた図である。
【図１３】従来の体温計収納用ケースの平面図である。
【図１４】図１３のＡ−Ａ線に沿う断面図である。
【図１５】図１３のＢ−Ｂ線に沿う断面図である。
【図１６】体温計を収納した状態の図１５に対応する断面図である。
【符号の説明】
【００５４】
１  表板
１ａ  表板１の外側面
２  裏板
２ａ  裏板の外側面
３  板状スペーサ
４  表板の外側面の表示スペース
５  裏板の外側面の表示スペース
６  口腔体温計
６ａ  測定部
７  収容空間
８  窓孔
８ａ  舌片
８ｂ  口腔体温計を潜り込ませる側の縁
１０  吸水部材
【図１】
0003136591.tif 000003
【図２】
0003136591.tif 000004
【図３】
0003136591.tif 000005
【図４】
0003136591.tif 000006
【図５】
0003136591.tif 000007
【図６】
0003136591.tif 000008
【図７】
0003136591.tif 000009
【図８】
0003136591.tif 000010
【図９】
0003136591.tif 000011
【図１０】
0003136591.tif 000012
【図１１】
0003136591.tif 000013
【図１２】
0003136591.tif 000014
【図１３】
0003136591.tif 000015
【図１４】
0003136591.tif 000016
【図１５】
0003136591.tif 000017
【図１６】
0003136591.tif 000018